(57)【要約】      （修正有）【課題】ストッカと工作機械とロボットとを有した工作機械システムであって、安価でありながら、作業性の悪化を防止できる工作機械システムを提供する。【解決手段】工作機械システム１０は、カバー２３で囲まれた加工室２２と、カバー２３に設けられた開口部を開閉自在に覆うドアとを有する工作機械１２と、工作機械１２に対して着脱自在で、加工室２２の外部に保管スペースを提供するストッカ１６と、ストッカ１６が工作機械１２に装着された際に、保管スペースと加工室２２とに跨った可動範囲を有するロボット１４と、を備え、ストッカ１６は、工作機械１２に装着された際に、工作機械１２の外表面と協同して、保管スペースを収容する防護空間を画定する、安全柵５８を備える。【選択図】図１
2019150894.tif 000002
【特許請求の範囲】
【請求項１】
カバーで囲まれた加工室と、前記カバーに設けられた開口部を開閉自在に覆うドアと、を有する工作機械と、
前記工作機械に対して着脱自在で、前記加工室の外部に保管スペースを提供するストッカと、
前記ストッカが前記工作機械に装着された際に、前記保管スペースと前記加工室とに跨った可動範囲を有するロボットと、
を備え、
前記ストッカは、前記工作機械に装着された際に、前記工作機械の外表面と協同して、前記保管スペースを収容する防護空間を画定する、柵または壁である防護部材を備える、
ことを特徴とする工作機械システム。
【請求項２】
請求項１に記載の工作機械システムであって、
前記開口部は、前記工作機械の前面に設けられており、
前記工作機械に装着された際、前記開口部の前方に前記防護空間が画定され、
前記防護部材は、少なくとも、前記防護空間の前面および左右両側面を覆う、
ことを特徴とする工作機械システム。
【請求項３】
請求項１または２に記載の工作機械システムであって、
前記工作機械は、さらに、少なくとも前記ロボットの駆動指示を受け付ける入力装置を備え、
前記入力装置は、前記加工室の外部かつ前記防護空間の外部に設けられている、
ことを特徴とする工作機械システム。
【請求項４】
請求項１から３のいずれか１項に記載の工作機械システムであって、さらに、
前記ロボットの駆動を制御するロボット制御部と、
前記ドアの開閉状態を検知するドアセンサと、
前記ストッカの前記工作機械への着脱状態を検知するストッカセンサと、
を備え、
前記ロボット制御装置は、前記ドアセンサの検知結果および前記ストッカセンサの検知結果に基づいて、前記ロボットの動作制限の有無を決定する、
ことを特徴とする工作機械システム。
【請求項５】
請求項１から４のいずれか１項に記載の工作機械システムであって、
前記ロボットは、前記加工室内に設置されている、ことを特徴とする工作機械システム。
【請求項６】
請求項１から４のいずれか１項に記載の工作機械システムであって、
前記ロボットは、前記ストッカに設置されている、ことを特徴とする工作機械システム。
【請求項７】
前記工作機械に設けられた加工室の外部に保管スペースを提供するストッカであって、
前記ストッカは、前記工作機械に対して着脱自在であり、
前記ストッカは、前記工作機械に装着された際に、前記工作機械の外表面と協同して、前記保管スペースを収容する防護空間を画定する、柵または壁である防護部材を備える、
ことを特徴とするストッカ。
【発明の詳細な説明】
【技術分野】
【０００１】
本明細書では、加工室の外部に保管スペースを提供するストッカ、および、当該ストッカと工作機械とロボットとを有した工作機械システムを開示する。
【背景技術】
【０００２】
工作機械には、通常、加工室が設けられており、この加工室は、カバーにより覆われている。こうした加工室のスペースは、限られているため、工作機械の外部に、余剰の保管スペースを提供するストッカを設けることがある。かかるストッカには、例えば、加工前のワーク、加工後のワーク、交換用の工具、ジグなどが保管される。
【０００３】
ここで、工作機械では、従来から、さらなる自動化、省人化が求められている。そこで、工作機械、または、その周辺に、ロボットを設け、当該ロボットで各種処理を行うことが提案されている。例えば、特許文献１には、工作機械の加工室内に、多関節ロボットを設け、当該多関節ロボットで種々の処理を行う工作機械が開示されている。この特許文献１では、多関節ロボットによる処理の一つとして、ワークを加工室の外部に搬送することが挙げられている。
【０００４】
特許文献１のように、ロボットを加工室の外部まで動かせるようにすれば、さらなる自動化、省人化が可能になる。特に、ロボットを、加工室とストッカの保管スペースとに跨って動かせるようにすれば、ワーク、工具、ジグなどを、加工室の内外に搬送でき、さらなる自動化、省人化が可能になる。
【先行技術文献】
【特許文献】
【０００５】
【特許文献１】特開２０１７−２０２５４８号公報
【発明の概要】
【発明が解決しようとする課題】
【０００６】
ところで、産業用ロボットは、法令や規格で、協働ロボットであるか、柵または囲いにより人と物理的に分離されていることが、定められている。協働ロボットとは、人と協働して作業可能なロボットであり、例えば、速度および人との間隔の監視が可能であったり、力と圧力の制限が行なえたりするロボットである。
【０００７】
そのため、上述したとおり、ロボットを、加工室の外部に設けられたストッカまで移動させる場合、当該ロボットの可動範囲が、柵または囲いにより人から分離されているか、当該ロボットが協働ロボットであることが要求される。しかし、協働ロボットとするためには、人との距離を検知できるレーザーレンジファインダーや、力を検知できる力センサ等の高価なセンサが必要であった。また、柵および囲いを、工作機械の周辺に常時設置しておくと、当該工作機械の内部（加工室内部）へのアクセスが制限され、オペレータによる作業性が悪化する。
【０００８】
そこで、本明細書では、ストッカと工作機械とロボットとを有した工作機械システムであって、安価でありながら、作業性の悪化を防止できる工作機械システム、および、当該工作機械ストッカに用いられるストッカを開示する。
【課題を解決するための手段】
【０００９】
本明細書で開示する工作機械システムは、カバーで囲まれた加工室と、前記カバーに設けられた開口部を開閉自在に覆うドアと、を有する工作機械と、前記工作機械に対して着脱自在で、前記加工室の外部に保管スペースを提供するストッカと、前記ストッカが前記工作機械に装着された際に、前記保管スペースと前記加工室とに跨った可動範囲を有するロボットと、を備え、前記ストッカは、前記工作機械に装着された際に、前記工作機械の外表面と協同して、前記保管スペースを収容する防護空間を画定する、柵または壁である防護部材を備える、ことを特徴とする。
【００１０】
かかる構成とすることで、ロボットを協働ロボットにする必要がなく、安価な構成とすることができる。また、ストッカを工作機械に対して着脱自在とすることで、防護空間が不要な場合、ロボットを加工室の外部で駆動する必要がない場合には、ストッカを取り外すことができ、作業性の悪化を防止できる。
【００１１】
この場合、前記開口部は、前記工作機械の前面に設けられており、前記工作機械に装着された際、前記開口部の前方に前記防護空間が画定され、前記防護部材は、少なくとも、前記防護空間の前面および左右両側面を覆ってもよい。
【００１２】
かかる構成とすることで、工作機械に設けられている既存の開口部を利用することができ、工作機械の設計変更を少なく抑えることができる。
【００１３】
また、前記工作機械は、さらに、少なくとも前記ロボットの駆動指示を受け付ける入力装置を備え、前記入力装置は、前記加工室の外部かつ前記防護空間の外部に設けられていてもよい。
【００１４】
かかる構成とすることで、オペレータの安全性を確保した状態で、ロボットの駆動指示を入力できる。
【００１５】
さらに、前記ロボットの駆動を制御するロボット制御部と、前記ドアの開閉状態を検知するドアセンサと、前記ストッカの前記工作機械への着脱状態を検知するストッカセンサと、を備え、前記ロボット制御装置は、前記ドアセンサの検知結果および前記ストッカセンサの検知結果に基づいて、前記ロボットの動作制限の有無を決定してもよい。
【００１６】
かかる構成とすることで、ロボットの安全性をより確実に担保できる。
【００１７】
また、前記ロボットは、前記加工室内に設置されていてもよい。
【００１８】
かかる構成とすることで、ストッカが装着されていない場合でも、工作機械のドアを閉鎖することで、ロボットを駆動することが可能となる。
【００１９】
また、前記ロボットは、前記ストッカに設置されていてもよい。
【００２０】
かかる構成とすることで、ロボットを搭載していない工作機械に、後付けでロボットを取り付けることができる。
【００２１】
本明細書で開示するストッカは、前記工作機械に設けられた加工室の外部に保管スペースを提供するストッカであって、前記ストッカは、前記工作機械に対して着脱自在であり、前記ストッカは、前記工作機械に装着された際に、前記工作機械の外表面と協同して、前記保管スペースを収容する防護空間を画定する、柵または壁である防護部材を備える、ことを特徴とする。
【００２２】
かかる構成とすることで、ロボットを協働ロボットにする必要がなく、安価な構成とすることができる。また、ストッカを工作機械に対して着脱自在とすることで、防護空間が不要な場合、ロボットを加工室の外部で駆動する必要がない場合には、ストッカを取り外すことができ、作業性の悪化を防止できる。
【発明の効果】
【００２３】
本明細書に開示の技術によれば、ロボットを協働ロボットにする必要がなく、安価な構成とすることができる。また、ストッカを工作機械に対して着脱自在とすることで、防護空間が不要な場合、ロボットを加工室の外部で駆動する必要がない場合には、ストッカを取り外すことができ、作業性の悪化を防止できる。
【図面の簡単な説明】
【００２４】
【図１】工作機械システムの斜視図である。
【図２】前面ドアを開放した状態の工作機械の斜視図である。
【図３】前面ドアを閉鎖した状態の工作機械の斜視図である。
【図４】ストッカの斜視図である。
【図５】安全柵の図示を一部省略したストッカの斜視図である。
【図６】工作機械の機能ブロック図である。
【図７】ドアセンサおよびストッカセンサの検知結果と、工作機械およびロボットの動作制限の有無と、の関係を示す図である。
【図８】他の工作機械システムの斜視図である。
【図９】図８の工作機械システムの機能ブロック図である。
【図１０】図８の工作機械システムにおける、ドアセンサおよびストッカセンサの検知結果と、工作機械およびロボットの動作制限の有無と、の関係を示す図である。
【発明を実施するための形態】
【００２５】
以下、工作機械システム１０について図面を参照して説明する。図１は、工作機械システム１０の斜視図である。また、図２、図３は、工作機械１２の斜視図であり、図４、図５は、ストッカ１６の斜視図である。さらに、図６は、工作機械システム１０の機能ブロック図である。なお、図１、図４では、ストッカ１６の前面に設けられた安全柵５８の一部を図示省略している。
【００２６】
工作機械システム１０は、工作機械１２と、ロボット１４と、ストッカ１６と、を有している。工作機械１２は、ワーク１００を所要の形状または寸法に加工する機械である。この工作機械１２としては、切削加工機（例えば旋盤、フライス盤等）、研削加工機（例えば、研削盤、表面仕上げ盤等）、鍛造加工機、特殊加工機（放電加工機、超音波加工機）等の加工機、および、これら加工機を組み合わせた複合加工機が該当する。本例では、工作機械１２をターニングセンタとして説明する。
【００２７】
ロボット１４は、三軸以上がプログラム可能で、自動制御され、再プログラム可能な多用途マニピュレータのことである。このロボット１４は、工作機械１２による加工処理の補助や、センシング、部材の搬送などを行う。このロボット１４は、人の侵入が禁止された空間内でのみ駆動が許容される。
【００２８】
ストッカ１６は、工作機械１２に保管スペースを提供する構造物であり、工作機械１２に着脱自在に装着される。このストッカ１６は、後述するように安全柵５８を有しており、工作機械１２に装着されることで、工作機械１２の外部に、人の侵入が禁止された防護空間を形成する。そして、かかる防護空間が形成されることで、ロボット１４の可動範囲を、工作機械１２の外部まで（防護空間内まで）広げることができる。
【００２９】
以下、この工作機械システム１０の各部について詳説する。工作機械１２は、ワーク１００に対して所要の加工を施す加工機構２０（図６参照）を有している。加工機構２０は、例えば、ワーク１００を回転保持するワーク主軸や、旋削工具を保持する刃物台、刃物台を直線移動させる移動機構、切削油を吐出する吐出機構（いずれも図示せず）などを含む。後述する工作機械１２のメイン制御部３８は、オペレータからの指示（例えば加工プログラム等）に応じて、加工機構２０を駆動させ、ワーク１００に対する加工を実行させる。
【００３０】
ワーク１００に対する加工は、加工室２２内において実行される。この加工室２２の周囲は、カバー２３で覆われている。また、カバー２３の一部には、開口部が設けられている。図示例では、工作機械１２の前面から天面にかけて広がる開口部が、工作機械１２の幅方向略中央に設けられている。
【００３１】
工作機械１２には、この開口部を開閉自在に覆う前面ドア２４が設けられている。本例で、前面ドア２４は、開口部全体を覆えるように、工作機械１２の前面から天面にかけて延びる略Ｌ字形状となっている。また、前面ドア２４は、幅方向片側にスライドするスライドドアである。ただし、前面ドア２４は、開口部を開閉できるのであれば、スライドドアに限らず、ヒンジ軸周りに回転する回転ドアや、一部が折り畳まれる折り戸などでもよい。この前面ドア２４を閉鎖することで加工室２２が外部から閉鎖され、オペレータの安全性が確保される。この前面ドア２４は、オペレータによって手動で開閉される他、メイン制御部３８によって自動でも開閉される。
【００３２】
工作機械１２には、この前面ドア２４の開閉状態を検知するドアセンサ２８（例えば安全スイッチ）と、前面ドア２４の開放を禁止するドアロック２６と、が設けられている（図６参照）。ドアセンサ２８の検知結果は、後述するメイン制御部３８に送られる。
【００３３】
工作機械１２の前面には、操作パネル３０も設けられている。操作パネル３０は、オペレータからの操作指示を受け付ける入力装置として機能するもので、例えば、複数のボタンや、キーボード、タッチパネルなどを有している。この操作パネル３０は、前面ドア２４や、ストッカ１６と干渉しない位置に設けられており、前面ドア２４を閉鎖し、かつ、ストッカ１６を工作機械１２に取り付けた状態でも、当該操作パネル３０の操作が可能となっている。なお、ここでは、工作機械１２に取り付けられた操作パネル３０を例示したが、操作パネル３０の一部または全部は、工作機械１２から分離されていてもよい。例えば、工作機械１２と無線通信可能な情報端末（例えばスマートフォン、タブレットなど）を、操作パネル３０として使用してもよい。操作パネル３０を介して入力されたオペレータの指示は、メイン制御部３８に送られる。メイン制御部３８およびロボット制御部４０は、このオペレータ指示に応じて、加工機構２０およびロボット１４の駆動を制御する。
【００３４】
また、工作機械１２の前面下部には、後述するストッカ１６が装着される被装着部３２が設けられている。被装着部３２には、ストッカ１６の着脱を検知するストッカセンサ３４（例えば安全スイッチ）と、ストッカ１６の離脱を禁止するストッカロック３６も、設けられている（図６参照）。ストッカセンサ３４およびストッカロック３６は、互いに別部品でもよいし、同一部位品であってもよい。例えば、ストッカセンサ３４およびストッカロック３６として、ソレノイド付き安全スイッチを用いてもよい。ストッカセンサ３４の検知結果は、メイン制御部３８に送られる。
【００３５】
加工室２２内には、ロボット１４が設けられている。ロボット１４には、さらに、１以上のエンドエフェクタ４２が取り付けられている。エンドエフェクタ４２は、所定のタスクを行なえるようにロボット１４に取り付けられる装置であって、例えば、ハンド機構や、各種センサ、流体吐出機構等である。
【００３６】
本例では、ロボット１４は、互いに平行な軸周りに回転する複数の関節を有した多関節ロボットである。この多関節ロボットは、加工室２２の壁面に取り付けられている。また、ロボット１４は、エンドエフェクタ４２として、各種部材を把持可能なハンド機構を有している。このロボット１４は、加工室２２の内外に跨る可動範囲を有しており、図１、図２に示すように、ロボット１４の一部を、加工室２２の外部に位置させることが可能である。こうしたロボット１４（エンドエフェクタ４２含む）は、後述するロボット制御部４０により駆動制御される。
【００３７】
工作機械１２は、さらに、メイン制御部３８と、ロボット制御部４０と、を有する（図６参照）。メイン制御部３８およびロボット制御部４０は、単一の制御装置で構成されてもよいし、複数の制御装置で構成されてもよい。いずれにしても、メイン制御部３８およびロボット制御部４０を構成する制御装置は、各種演算を行なうＣＰＵと、各種プログラムやデータを記憶するメモリと、を有している。メイン制御部３８は、オペレータからの指示に応じて、加工機構２０の駆動を制御する。具体的には、メイン制御部３８は、加工プログラムに従ってワーク１００を加工するべく、ワーク主軸の回転動作や、刃物台の移動動作、切削油の吐出動作等を制御する。また、メイン制御部３８は、ドアセンサ２８により前面ドア２４の開放が検知された場合、加工機構２０を動作制限する。加工機構２０を動作制限した場合、加工機構２０の自動駆動が禁止され、速度が制限された状態での手動駆動のみが許容される。また、加工機構２０が自動駆動している期間中、メイン制御部３８は、ドアロック２６を駆動して、前面ドア２４の開放を禁止する。さらに、メイン制御部３８は、必要に応じて、前面ドア２４を自動で開閉する。
【００３８】
ロボット制御部４０は、メイン制御部３８からの指示に応じてロボット１４の駆動を制御する。また、ロボット制御部４０は、メイン制御部３８を介して通知されるストッカセンサ３４およびドアセンサ２８の検知結果に応じてロボット１４の動作を制限する。具体的には、ロボット制御部４０は、ロボット１４が配された空間が外部から隔離されている場合、すなわち、前面ドア２４が閉鎖されている場合、あるいは、前面ドア２４が開放かつストッカ１６が装着されている場合、ロボット１４を動作制限することなく、自動駆動する。一方、ロボット１４が配された空間が外部から隔離されていない場合、すなわち、前面ドア２４が開放かつストッカ１６が装着されていない場合、ロボット制御部４０は、ロボット１４の動作を制限する。ロボット１４の動作制限とは、原則として、ロボット１４の駆動禁止を意味している。ただし、速度あるいは出力トルクを十分に制限できるのであれば、ロボット１４の動作制限中であっても、ロボット１４を手動で駆動することを許容してもよい。
【００３９】
また、メイン制御部３８は、ロボット１４を自動駆動させている期間中は、ドアロック２６およびストッカロック３６を駆動して、現在の空間状態を維持する。すなわち、前面ドア２４が閉鎖した状態でロボット１４が自動駆動している場合、メイン制御部３８は、ドアロック２６を有効化して、前面ドア２４の開放を禁止する。また、前面ドア２４が開放かつストッカ１６が装着した状態でロボット１４が自動駆動している場合、メイン制御部３８は、ストッカロック３６を有効化して、ストッカ１６の離脱を禁止する。
【００４０】
ストッカ１６は、上述したとおり、工作機械１２に着脱自在で、加工室２２の外部に、余剰の保管スペース６０を提供する構造物である。このストッカ１６は、移動可能な台座５０と、当該台座５０の上部空間の三方を囲う安全柵５８と、を備えている。台座５０の上部空間は、各種部材（ワーク１００や、工具、交換用チャック、交換用エンドエフェクタなど）が保管される保管スペース６０となる。図４、図５では、台座５０の上面にワーク１００が保管されるストッカ１６を図示している。台座５０の前面には、当該ストッカ１６を移動させる際に把持される取っ手５２が設けられ、台座５０の底面には、当該ストッカ１６の移動を補助するキャスター５４が設けられている。
【００４１】
さらに、台座５０には、工作機械１２の被装着部３２に着脱自在に装着される装着部５６が設けられている。装着部５６を、工作機械１２の被装着部３２に装着することで、ストッカ１６が工作機械１２に対して位置決めされる。ここで、ストッカ１６は、工作機械１２に装着された際、工作機械１２の開口部の前面に位置する。したがって、工作機械１２の前面ドア２４を開放すると、加工室２２と、ストッカ１６内の保管スペース６０とが、連通することになる。
【００４２】
台座５０の上部空間である保管スペース６０は、その三方が、安全柵５８によって囲われている。安全柵５８は、保管スペース６０の前面および左右側面に設けられている。一方で、保管スペース６０の後面および天面には、安全柵５８はなく、外部に開口している。安全柵５８は、工作機械１２の天面とほぼ同じ高さ位置まで延びている。
【００４３】
ストッカ１６を工作機械１２に装着すると、安全柵５８の後端は工作機械１２の前面（カバー２３）に近接し、安全柵５８の後端と工作機械１２の前面との間の隙間は、人の腕を通さない程度に十分に小さくなる。換言すれば、ストッカ１６を工作機械１２に装着すると、安全柵５８は、工作機械１２の外表面と協働して、外部と隔てられた防護空間を形成する。そして、この防護空間内に、ストッカ１６の保管スペース６０が位置することになる。そして、工作機械１２の外部に防護空間が形成されることで、ロボット１４の可動範囲を、工作機械１２の外部（ストッカ１６の保管スペース６０）まで広げることができる。なお、本例では、保管スペース６０を囲う防護部材として、隙間のある「柵」を用いているが、人の侵入を禁止できるのであれば、「柵」に替えて、隙間のない「壁」を用いてもよい。
【００４４】
このように安全柵５８を有したストッカ１６を設ける理由について説明する。工作機械１２では、従来から、さらなる自動化、省人化が求められている。この要望を満たすために、加工室２２内にロボット１４を設け、当該ロボット１４で、各種部材（ワーク１００、工具など）を搬送することが一部で提案されている。具体的にでは、ロボット１４を用いて加工済みのワーク１００あるいは使用済みの工具を加工室２２の外部に搬送したり、新たなワーク１００あるいは工具を外部から加工室２２内に搬送したりすることが提案されている。
【００４５】
ここで、ロボット１４は、法令や規格で、柵または囲いにより人と物理的に分離されているか、協働ロボットであることが、定められている。協働ロボットとは、人と協働して作業可能なロボット１４であり、例えば、速度および人との間隔の監視が可能であったり、力と圧力の制限が行なえたりするロボット１４である。
【００４６】
そのため、ワーク１００や工具を搬送するために、ロボット１４を、加工室２２の外部まで自動で動かす場合、当該ロボット１４の周囲に柵または囲いを設けるか、当該ロボット１４を協働ロボットにすることが必要となる。しかし、協働ロボットとするためには、人との距離を検知できるレーザーレンジファインダーや、力を検知できる力センサ等の高価なセンサが必要であった。
【００４７】
そこで、本明細書で開示する工作機械システム１０では、安全柵５８を有するストッカ１６を設け、工作機械１２の外部に、ロボット１４と人が分離された防護空間を形成できるようにしている。かかる構成とすれば、高価な協働ロボットを用いなくても、ロボット１４が、加工室２２の外部に自動でアクセスできる。結果として、ロボット１４を協働ロボットにする必要がなく、ロボット１４を安価に構成できる。
【００４８】
また、本例では、こうしたストッカ１６を、工作機械１２に対して着脱自在としているため、必要な場合だけ、工作機械１２の外部に防護空間を形成できる。その結果、工作機械１２は、ストッカ１６を取り付けた場合には、ワーク１００等を自動で交換する自動機となり、ストッカ１６を取り外した場合には、ワーク１００等が手動で交換される汎用機となる。これは、例えば、夜間は無人で量産部品を生産し、日中は、有人で少量部品を作成するなどの使用形態を可能にする。
【００４９】
ここで、これまで説明で明らかなとおり、本例では、ストッカ１６と加工室２２とを、既存の開口部を介して連通させている。その結果、専用の開口部、ドアを別途設ける必要がなく、工作機械システム１０のコストを低減できる。また、本例では、ストッカ１６を工作機械１２に装着した場合において、操作パネル３０は、加工室２２の外部、かつ、防護空間の外部に位置している。そのため、加工機構２０やロボット１４が自動駆動されている期間中であっても、オペレータは、安全に、操作パネル３０を操作できる。
【００５０】
図７は、ドアセンサ２８およびストッカセンサ３４の検知結果と、加工機構２０およびロボット１４の動作制限の有無と、の関係を示す図である。図７に示す通り、加工機構２０は、ストッカ１６の装着状態に関わらず、前面ドア２４が開状態であれば、動作制限が生じる。
【００５１】
ロボット１４は、前面ドア２４が閉状態であれば、ストッカ１６の着脱状態に関わらず、動作制限なしで駆動する。ただし、当然ながら、この場合、ロボット１４の可動範囲は、加工室２２内に限定される。また、前面ドア２４が開状態かつストッカ１６が装着状態の場合も、ロボット１４は、動作制限なしで駆動する。また、この場合、ロボット１４の可動範囲は、加工室２２の外側にあるストッカ１６の保管スペース６０まで広がる。前面ドア２４が開状態かつストッカ１６が離脱状態の場合、ロボット１４は、動作制限（駆動停止）される。
【００５２】
なお、夜間などに、無人で量産部品を加工する場合は、前面ドア２４を閉鎖した状態でワーク１００加工と、前面ドア２４を開放した状態でのワーク１００交換と、を交互に繰り返す。このとき、前面ドア２４は、メイン制御部３８により自動的に開閉される。
【００５３】
次に、他の工作機械システム１０の一例について図８〜図１０を参照して説明する。図８は、他の工作機械システム１０の斜視図であり、図９は、他の工作機械システム１０の機能ブロック図である。さらに、図１０は、他の工作機械システム１０におけるドアセンサ２８およびストッカセンサ３４の検知結果と、加工機構２０およびロボット１４の動作制限の有無と、の関係を示す図である。
【００５４】
この工作機械システム１０は、ロボット１４、ロボット制御部４０、ストッカセンサ３４、ストッカロック３６が、工作機械１２ではなく、ストッカ１６に設けられている。ストッカ１６が工作機械１２に装着された場合、ロボット制御部４０は、工作機械１２のメイン制御部３８に、有線または無線で通信可能となっている。そして、ロボット制御部４０は、メイン制御部３８からの指示に応じて、ロボット１４を駆動する。また、ロボット制御部４０は、ストッカセンサ３４での検知結果に応じて、ロボット１４の動作制限の有無を決定する。
【００５５】
本例では、ロボット１４は、加工室２２の外部に設けられているため、前面ドア２４が閉鎖していても、ストッカ１６が工作機械１２から離脱している場合、ロボット１４を動作制限する。このように、ロボット１４をストッカ１６に取り付ける構成とすることで、ロボット１４を搭載していない工作機械１２に、後付けでロボット１４を取り付けることができる。なお、この場合、ストッカ１６に、ロボット１４の操作指示を受け付ける入力部（例えば操作パネル、操作ボタンなど）を設けてもよい。
【００５６】
また、別の形態として、ロボット１４を工作機械１２の前に設置し、そのロボット１４をストッカ１６の安全柵５８で囲うようにしてもよい。すなわち、ロボット１４が、ストッカ１６および工作機械１２の双方と分離した構成としてもよい。
【００５７】
いずれにしても、工作機械１２に対して着脱自在で、工作機械１２に装着された際に、工作機械１２の外表面と協同して、保管スペース６０を収容する防護空間を画定する、防護部材（柵または壁）を有したストッカ１６を備えるのであれば、その他の構成は、適宜、変更されてもよい。
【符号の説明】
【００５８】
１０  工作機械システム、１２  工作機械、１４  ロボット、１６  ストッカ、２０  加工機構、２２  加工室、２３  カバー、２４  前面ドア、２６  ドアロック、２８  ドアセンサ、３０  操作パネル、３２  被装着部、３４  ストッカセンサ、３６  ストッカロック、３８  メイン制御部、４０  ロボット制御部、４２  エンドエフェクタ、５０  台座、５２  取っ手、５４  キャスター、５６  装着部、５８  安全柵、６０  保管スペース、１００  ワーク。
【図１】
2019150894.tif 000003
【図２】
2019150894.tif 000004
【図３】
2019150894.tif 000005
【図４】
2019150894.tif 000006
【図５】
2019150894.tif 000007
【図６】
2019150894.tif 000008
【図７】
2019150894.tif 000009
【図８】
2019150894.tif 000010
【図９】
2019150894.tif 000011
【図１０】
2019150894.tif 000012